(57)【要約】【課題】容易に底面を組立可能な包装箱および包装箱の組立装置を提供する。【解決手段】４つの側面部１１０，１２０，１３０，１４０と、側面部１１０，１２０の下端側に折れ線部１１１，１２１を介してそれぞれ延在する第１底面片１５０および第２底面片１６０を備える。また、側面部１３０，１４０の下端側に折れ線部１３１，１４１を介してそれぞれ延在し、第１底面片１５０および第２底面片１６０と相互に組み合わされることにより第１底面片１５０および第２底面片１６０と係合して底面を構成する第３底面片１７０および第４底面片１８０を備える。各底面片１５０，１６０，１７０，１８０の各々において、４つの側面部のそれぞれから延在方向に延びている縁部１５１，１５２，１６１，１６２，１７１，１７２，１８１，１８２に、底面を組立てる際に４つの側面部の内面と干渉しないようにする切欠き部が設けられている。【選択図】図１
2012162271.tif 000002
【特許請求の範囲】
【請求項１】
四角筒状の側面を構成する４つの側面部と、
前記４つの側面部のうちの相対向する一対の側面部の下端側に折れ線部を介してそれぞれ延在する第１底面片および第２底面片と、
前記４つの側面部のうちの他の一対の側面部の下端側に折れ線部を介してそれぞれ延在し、前記第１底面片および前記第２底面片と相互に組み合わされることにより前記第１底面片および前記第２底面片と係合して底面を構成する第３底面片および第４底面片と
を備え、
前記底面を組立てる際に、前記第１底面片が前記折れ線部を境に折り曲げられ、
次に、前記第３底面片および第４底面片の各々が前記折れ線部を境に折り曲げられ、
次に、前記第２底面片が前記折れ線部を境に折り曲げられ、
さらに、折り曲げられた前記第１底面片、前記第２底面片、前記第３底面片および前記第４底面片が前記４つの側面部に囲まれる空間側に折り曲げられて、前記第２底面片の一部が前記第１底面片の一部より上方に位置することにより、前記第１底面片、前記第２底面片、前記第３底面片および前記第４底面片が互いに係合して前記底面が組立てられ、
前記第１底面片、前記第２底面片、前記第３底面片および前記第４底面片の各々において、前記４つの側面部のそれぞれから延在方向に延びている縁部に、前記底面を組立てる際に前記４つの側面部の内面と干渉しないようにする切欠き部が設けられた、包装箱。
【請求項２】
前記折れ線部の位置に、切込み部または打抜き部が設けられた、請求項１に記載の包装箱。
【請求項３】
請求項１または２に記載の包装箱の底面を組立てる包装箱の組立装置であって、
前記４つの側面部に接して、前記４つの側面部の下方に前記第１底面片、前記第２底面片、前記第３底面片および前記第４底面片とが位置するように前記包装箱の姿勢を維持する姿勢維持部と、
前記姿勢維持部を上下方向に移動可能に支持する支持部と、
前記姿勢維持部の下部に配置され、前記包装箱が前記姿勢維持部に挿入されることにより前記第１底面片を前記折れ線部を境に折り曲げる第１折り曲げ部と、
前記姿勢維持部の下方への移動に連動して前記第３底面片および前記第４底面片を前記折れ線部を境に折り曲げる第２折り曲げ部と、
前記姿勢維持部の下方への移動に連動して前記第２底面片を前記折れ線部を境に折り曲げる第３折り曲げ部と
を備え、
前記姿勢維持部が所定の位置から下方に移動した後、上方に移動して元の位置に戻る１連の動作の間に、前記第１折り曲げ部、前記第２折り曲げ部および前記第３折り曲げ部が順に動作することにより前記包装箱の底面を組立てる、包装箱の組立装置。
【請求項４】
前記姿勢維持部が下方に移動する前に前記第１折り曲げ部が前記第１底面片を折り曲げ、
前記姿勢維持部が下方に移動する途中で前記第２折り曲げ部が前記第３底面片および前記第４底面片を折り曲げ、また、前記第３折り曲げ部が前記第２底面片を折り曲げ、
前記姿勢維持部が最も下方に移動した際に前記第３折り曲げ部が前記第１底面片、前記第２底面片、前記第３底面片および前記第４底面片を前記４つの側面部に囲まれる空間側に折り曲げて、前記第２底面片の一部を前記第１底面片の一部より上方に位置させる、請求項３に記載の包装箱の組立装置。
【請求項５】
前記支持部が弾性部材の付勢力により前記姿勢維持部を支持する、請求項３または４に記載の包装箱の組立装置。
【請求項６】
前記支持部が圧縮空気の圧力により前記姿勢維持部を支持する、請求項３または４に記載の包装箱の組立装置。
【請求項７】
前記第２折り曲げ部は、前記姿勢維持部の下部で互いに対向するように２つ配置され、
２つの前記第２折り曲げ部の各々の下方に互いに対向するように柱状部材が配置され、
前記柱状部材は、互いに対向する対向面の上端に、２つの前記柱状部材同士の距離が上方から下方に行くに従って短くなるようなテーパ部を有し、
２つの前記第２折り曲げ部のうちの前記第３底面片を折り曲げる前記第２折り曲げ部は、前記姿勢維持部から離れる方向に付勢力が付与された第１連動部を有し、
前記第１連動部においては、前記姿勢維持部が下方に移動して、一端が２つの前記柱状部材のうちの第１柱状部材の前記テーパ部に当接することにより、前記付勢力に反して他端が前記第３底面片を押圧して前記第３底面片を折り曲げ、
２つの前記第２折り曲げ部のうちの前記第４底面片を折り曲げる前記第２折り曲げ部は、前記姿勢維持部から離れる方向に付勢力が付与された第２連動部を有し、
前記第２連動部においては、前記姿勢維持部が下方に移動して、一端が２つの前記柱状部材のうちの第２柱状部材の前記テーパ部に当接することにより、前記付勢力に反して他端が前記第４底面片を押圧して前記第３底面片を折り曲げ、
前記第３折り曲げ部は、前記姿勢維持部の下方において前記姿勢維持部の直下から水平方向において離れた位置に配置されて第３連動部と接続され、
前記第３連動部においては、水平方向において前記姿勢維持部から前記第３折り曲げ部に近づくに従って上面の高さが低くなる傾斜部を有し、
前記支持部には、前記姿勢維持部が下方に移動した際に前記第３連動部の前記上面と当接する当接部が配置され、
前記姿勢維持部が下方に移動して前記当接部が前記第３連動部の前記上面と当接して前記第３連動部を押圧することにより前記第３連動部が移動して、前記第３折り曲げ部が前記姿勢維持部に近づき、
前記第３折り曲げ部が前記姿勢維持部の下方に近づく際に、前記第３折り曲げ部により前記第２底面片が押圧されて折り曲げられ、
前記姿勢維持部が最も下方まで移動した際に前記第３折り曲げ部が前記姿勢維持部の直下に位置して、前記第３折り曲げ部の先端が前記第１底面片、前記第２底面片、前記第３底面片および前記第４底面片を前記４つの側面部に囲まれる空間側に折り曲げて、前記第２底面片の一部が前記第１底面片の一部より上方に位置させる、請求項３から６のいずれかに記載の包装箱の組立装置。
【発明の詳細な説明】
【技術分野】
【０００１】
本発明は、包装箱および包装箱の組立装置に関する。
【背景技術】
【０００２】
筒状に組立てられた箱の底面を組立てる構造として底組み箱(アメリカンロック)構造が知られている。アメリカンロック構造においては、底面を構成する縦横一対のフラップ状の底面片が用いられる。
【０００３】
底面片の組立方法としては、まず縦方向で先端に凹部が形成された第１底面片を内側に折り曲げる。次に、左右方向の第３、第４底面片を内側に折り曲げる。次に、縦方向で先端に凸部が形成された第２底面片を内側に折り曲げる。その状態から、第１、第２、第３および第４底面片をさらに折り曲げることにより、第２底面片の凸部を第１底面片上に押し込む。このようにして、箱の底面が組立てられる。
【先行技術文献】
【特許文献】
【０００４】
【特許文献１】特開２００３−２０５９２９号公報
【発明の概要】
【発明が解決しようとする課題】
【０００５】
アメリカンロック構造の包装箱の底面を組立てる際には、４つの底面片が包装箱の側面部の内面側に折り曲げられる。その際、底面片の縁部が側面部の内面と干渉すると、底面片を折り曲げる際の抵抗が増加して底面の組立が困難になる。
【０００６】
本発明は上記の問題点に鑑みてなされたものであって、容易に底面を組立可能な包装箱および包装箱の組立装置を提供することを目的とする。
【課題を解決するための手段】
【０００７】
本発明に基づく包装箱は、四角筒状の側面を構成する４つの側面部と、４つの側面部のうちの相対向する一対の側面部の下端側に折れ線部を介してそれぞれ延在する第１底面片および第２底面片と、４つの側面部のうちの他の一対の側面部の下端側に折れ線部を介してそれぞれ延在し、第１底面片および第２底面片と相互に組み合わされることにより第１底面片および第２底面片と係合して底面を構成する第３底面片および第４底面片とを備える。底面を組立てる際に、第１底面片が折れ線部を境に折り曲げられる。次に、第３底面片および第４底面片の各々が折れ線部を境に折り曲げられる。次に、第２底面片が折れ線部を境に折り曲げられる。さらに、折り曲げられた第１底面片、第２底面片、第３底面片および第４底面片が４つの側面部に囲まれる空間側に折り曲げられて、第２底面片の一部が第１底面片の一部より上方に位置することにより、第１底面片、第２底面片、第３底面片および第４底面片が互いに係合して底面が組立てられる。第１底面片、第２底面片、第３底面片および第４底面片の各々において、４つの側面部のそれぞれから延在方向に延びている縁部に、底面を組立てる際に４つの側面部の内面と干渉しないようにする切欠き部が設けられている。
【０００８】
好ましくは、折れ線部の位置に、切込み部または打ち抜き部が設けられている。
本発明に基づく包装箱の組立装置は、上記の包装箱の底面を組立てる包装箱の組立装置である。包装箱の組立装置は、４つの側面部に接して、４つの側面部の下方に第１底面片、第２底面片、第３底面片および第４底面片とが位置するように包装箱の姿勢を維持する姿勢維持部と、姿勢維持部を上下方向に移動可能に支持する支持部とを備える。また、包装箱の組立装置は、姿勢維持部の下部に配置され、包装箱が姿勢維持部に挿入されることにより第１底面片を折れ線部を境に折り曲げる第１折り曲げ部と、姿勢維持部の下方への移動に連動して第３底面片および第４底面片を折れ線部を境に折り曲げる第２折り曲げ部と、姿勢維持部の下方への移動に連動して第２底面片を折れ線部を境に折り曲げる第３折り曲げ部とを備える。包装箱の組立装置は、姿勢維持部が所定の位置から下方に移動した後、上方に移動して元の位置に戻る１連の動作の間に、第１折り曲げ部、第２折り曲げ部および第３折り曲げ部が順に動作することにより包装箱の底面を組立てる。
【０００９】
本発明の一形態においては、姿勢維持部が下方に移動する前に第１折り曲げ部が第１底面片を折り曲げる。姿勢維持部が下方に移動する途中で第２折り曲げ部が第３底面片および第４底面片を折り曲げ、また、第３折り曲げ部が第２底面片を折り曲げる。姿勢維持部が最も下方に移動した際に第３折り曲げ部が第１底面片、第２底面片、第３底面片および第４底面片を４つの側面部に囲まれる空間側に折り曲げて、第２底面片の一部を第１底面片の一部より上方に位置させる。
【００１０】
本発明の一形態においては、支持部が弾性部材の付勢力により姿勢維持部を支持する。
本発明の一形態においては、支持部が圧縮空気の圧力により姿勢維持部を支持する。
【００１１】
本発明の一形態においては、第２折り曲げ部は、姿勢維持部の下部で互いに対向するように２つ配置される。２つの第２折り曲げ部の各々の下方に互いに対向するように柱状部材が配置される。柱状部材は、互いに対向する対向面の上端に、２つの柱状部材同士の距離が上方から下方に行くに従って短くなるようなテーパ部を有する。２つの第２折り曲げ部のうちの第３底面片を折り曲げる第２折り曲げ部は、姿勢維持部から離れる方向に付勢力が付与された第１連動部を有する。第１連動部においては、姿勢維持部が下方に移動して、一端が２つの柱状部材のうちの第１柱状部材のテーパ部に当接することにより、上記付勢力に反して他端が第３底面片を押圧して第３底面片を折り曲げる。２つの第２折り曲げ部のうちの第４底面片を折り曲げる第２折り曲げ部は、姿勢維持部から離れる方向に付勢力が付与された第２連動部を有する。第２連動部においては、姿勢維持部が下方に移動して、一端が２つの柱状部材のうちの第２柱状部材のテーパ部に当接することにより、上記付勢力に反して他端が第４底面片を押圧して第３底面片を折り曲げる。第３折り曲げ部は、姿勢維持部の下方において姿勢維持部の直下から水平方向において離れた位置に配置されて第３連動部と接続されている。第３連動部においては、水平方向において姿勢維持部から第３折り曲げ部に近づくに従って上面の高さが低くなる傾斜部を有する。支持部には、姿勢維持部が下方に移動した際に第３連動部の上面と当接する当接部が配置されている。姿勢維持部が下方に移動して当接部が第３連動部の上面と当接して第３連動部を押圧することにより第３連動部が移動して、第３折り曲げ部が姿勢維持部に近づく。第３折り曲げ部が姿勢維持部の下方に近づく際に、第３折り曲げ部により第２底面片が押圧されて折り曲げられる。姿勢維持部が最も下方まで移動した際に第３折り曲げ部が姿勢維持部の直下に位置して、第３折り曲げ部の先端が第１底面片、第２底面片、第３底面片および第４底面片を４つの側面部に囲まれる空間側に折り曲げて、第２底面片の一部が第１底面片の一部より上方に位置させる。
【発明の効果】
【００１２】
本発明によれば、梱包箱の底面を容易に組立てることができる。
【図面の簡単な説明】
【００１３】
【図１】本発明の一実施形態に係る包装箱の展開図である。
【図２】同実施形態に係る包装箱において筒状に側面部を組立てた状態を示す正面図である。
【図３】図２の梱包箱を矢印ＩＩＩ方向から見た図である。
【図４】包装箱の底面を組立てた状態を示す側面図である。
【図５】図４の包装箱を矢印Ｖ方向から見た上面図である。
【図６】同実施形態に係る包装箱の組立装置の構成を示す正面図である。
【図７】図６の包装箱の組立装置を矢印ＶＩＩ方向から見た図である。
【図８】同実施形態に係る包装箱を包装箱の組立装置に挿入した状態を示す正面図である。
【図９】図８の状態を矢印ＩＸ方向から見た図である。
【図１０】第２折り曲げ部により第３底面片および第４底面片を折り曲げた状態を示す正面図である。
【図１１】図１０の状態を矢印ＸＩ方向から見た図である。
【図１２】第３折り曲げ部により第２底面片を折り曲げた状態を示す正面図である。
【図１３】図１２の状態を矢印ＸＩＩＩ方向から見た図である。
【図１４】第３折り曲げ部により第１から第４底面片を押し上げた状態を示す正面図である。
【図１５】図１４の状態を矢印ＸＶ方向から見た図である。
【図１６】姿勢維持部が元の位置まで上昇した状態を示す正面図である。
【図１７】図１６の状態を矢印ＸＶＩＩ方向から見た図である。
【図１８】折れ線部に切込み部を設けた第１変形例の包装箱の展開図である。
【図１９】折れ線部に打ち抜き部を設けた第２変形例の包装箱の展開図である。
【発明を実施するための形態】
【００１４】
以下、本発明の一実施形態に係る包装箱および包装箱の組立装置について図面を参照して説明する。以下の実施形態の説明においては、図中の同一または相当部分には同一符号を付して、その説明は繰返さない。
【００１５】
図１は、本発明の一実施形態に係る包装箱の展開図である。図２は、本実施形態に係る包装箱において筒状に側面部を組立てた状態を示す正面図である。図３は、図２の梱包箱を矢印ＩＩＩ方向から見た図である。
【００１６】
図１から３に示すように、本実施形態に係る包装箱１００は、四角筒状の側面を構成する４つの側面部１１０，１２０，１３０，１４０を有する。また、包装箱１００は、４つの側面部１１０，１２０，１３０，１４０のうちの相対向する一対の側面部１１０，１２０の下端側に折れ線部１１１，１２１を介してそれぞれ延在する第１底面片１５０および第２底面片１６０を有する。
【００１７】
第１底面片１５０には、凹部１５３が形成されている。凹部１５３の近傍の中央付近に後述する第２底面片１６０の凸部１６３と係合する被係合部１５４が位置している。第１底面片１５０においては、側面部１１０から延在方向に延びている縁部１５１，１５２に、包装箱１００の底面を組立てる際に側面部１３０，１４０の内面と干渉しないようにする切欠き部が設けられている。そのため、縁部１５１と縁部１５２との間の距離は、側面部１１０の近傍の位置と比較して離れた位置の方が短くなっている。
【００１８】
第２底面片１６０には、凸部１６３が形成されている。第２底面片１６０においては、側面部１２０から延在方向に延びている縁部１６１，１６２に、包装箱１００の底面を組立てる際に側面部１３０，１４０の内面と干渉しないようにする切欠き部が設けられている。そのため、縁部１６１と縁部１６２との間の距離は、側面部１２０の近傍の位置と比較して離れた位置の方が短くなっている。
【００１９】
包装箱１００は、４つの側面部１１０，１２０，１３０，１４０のうちの他の一対の側面部１３０，１４０の下端側に折れ線部１３１，１４１を介してそれぞれ延在する第３底面片１７０および第４底面片１８０とを有する。第３底面片１７０および第４底面片１８０は、第１底面片１５０および第２底面片１６０と相互に組み合わされることにより第１底面片１５０および第２底面片１６０と係合して底面を構成する。
【００２０】
第３底面片１７０においては、側面部１３０から延在方向に延びている縁部１７１，１７２に、包装箱１００の底面を組立てる際に側面部１１０，１２０の内面と干渉しないようにする切欠き部が設けられている。そのため、縁部１７１と縁部１７２との間の距離は、側面部１３０の近傍の位置と比較して離れた位置の方が短くなっている。
【００２１】
第４底面片１８０においては、側面部１４０から延在方向に延びている縁部１８１，１８２に、包装箱１００の底面を組立てる際に側面部１１０，１２０の内面と干渉しないようにする切欠き部が設けられている。そのため、縁部１８１と縁部１８２との間の距離は、側面部１４０の近傍の位置と比較して離れた位置の方が短くなっている。
【００２２】
なお、包装箱１００は、３つの側面部１１０，１３０，１４０の上端側に折れ線部を介してそれぞれ延在する蓋面片を有する。側面部１１０の側方には折れ線部を介して接着部が延設されている。接着部が側面部１４０の内面に接着されることにより、図２，３に示すように、４つの側面部１１０，１２０，１３０，１４０から包装箱１００の側面が構成される。
【００２３】
図４は、包装箱の底面を組立てた状態を示す側面図である。図５は、図４の包装箱を矢印Ｖ方向から見た上面図である。本実施形態の包装箱１００においては、底面を組立てる際に、まず、第１底面片１５０が折れ線部１１１を境に折り曲げられる。次に、第３底面片１７０および第４底面片１８０の各々が折れ線部１３１，１４１を境に折り曲げられる。次に、第２底面片１６０が折れ線部１２１を境に折り曲げられる。
【００２４】
さらに、折り曲げられた第１底面片１５０、第２底面片１６０、第３底面片１７０および第４底面片１８０が４つの側面部１１０，１２０，１３０，１４０に囲まれる空間側に折り曲げられて、第２底面片１６０の一部が第１底面片１５０の一部より上方に位置することにより、第１底面片１５０、第２底面片１６０、第３底面片１７０および第４底面片１８０が互いに係合して底面が組立てられる。具体的には、第１底面片１５０の被係合部１５４上に第２底面片１６０の凸部１６３が係合することにより、包装箱１００の底面が組立てられる。
【００２５】
本実施形態の包装箱１００においては、第１底面片１５０、第２底面片１６０、第３底面片１７０および第４底面片１８０の各々において、４つの側面部１１０，１２０，１３０，１４０のそれぞれから延在方向に延びている縁部１５１，１５２，１６１，１６２，１７１，１７２，１８１，１８２に切欠き部が設けられている。
【００２６】
そのため、第１底面片１５０、第２底面片１６０、第３底面片１７０および第４底面片１８０の各々を４つの側面部１１０，１２０，１３０，１４０に囲まれる空間側に折り曲げる際に、各底面片１５０，１６０，１７０，１８０と各側面部１１０，１２０，１３０，１４０の内面とが干渉することを防止することができる。
【００２７】
また、各底面片１５０，１６０，１７０，１８０に設けられた切欠き部により、各底面片１５０，１６０，１７０，１８０同士が干渉することを抑制しつつ組立てることができる。その結果、第１底面片１５０、第２底面片１６０、第３底面片１７０および第４底面片１８０を容易に折り曲げて底面を構成することができる。
【００２８】
以下、本実施形態に係る包装箱の組立装置について説明する。
図６は、本実施形態に係る包装箱の組立装置の構成を示す正面図である。図７は、図６の包装箱の組立装置を矢印ＶＩＩ方向から見た図である。本実施形態に係る包装箱の組立装置２００は、包装箱１００の底面を組立てる包装箱の組立装置である。
【００２９】
図６，７に示すように、包装箱の組立装置２００は、包装箱１００の姿勢を維持する姿勢維持部２１０を備えている。具体的には、姿勢維持部２１０は、直方体形状の外形を有し、内部に上下方向に貫通した平面視矩形状の開口部を有している。開口部の大きさは、包装箱１００の側面の周囲より僅かに大きい。
【００３０】
姿勢維持部２１０は、支持部２２０により上下方向に移動可能に支持されている。支持部２２０は、ベース２９０上に設けられている。本実施形態においては、支持部２２０は、右側支持部２２１と左側支持部２２２とから構成されている。右側支持部２２１および左側支持部２２２の各々は、支柱と支柱に巻き回されたばねとから構成されている。言い換えると、支持部２２０は、弾性部材の付勢力により姿勢維持部２１０を支持している。
【００３１】
ただし、支持部２２０の構成は上記に限られず、たとえば、圧縮空気の圧力により姿勢維持部２１０を支持するようにしてもよい。具体的には、エアシリンダおよびエアプレスなどにより支持部２２０が構成されていてもよい。
【００３２】
支持部２２０には、姿勢維持部２１０が下方に移動した際に後述する第３連動部２９５の上面と当接する当接部２９４が配置されている。
【００３３】
姿勢維持部２１０の下部に第１折り曲げ部２３０が配置されている。本実施形態においては、第１折り曲げ部２３０は円柱状の外形を有している。第１折り曲げ部２３０は、外形の中心軸が水平方向になるように配置されている。また、第１折り曲げ部２３０は、姿勢維持部２１０の開口部に包装箱１００を挿入した際の第１底面片１５０が第１折り曲げ部２３０の外表面に接して内側に降り曲がるように配置されている。
【００３４】
姿勢維持部２１０の左側方の下部に、第２折り曲げ部２４０が配置されている。姿勢維持部２１０の右側方の下部に、第２折り曲げ部２５０が配置されている。第２折り曲げ部２４０と第２折り曲げ部２５０とは、互いに対向するように配置されている。
【００３５】
第２折り曲げ部２４０の下方に第１柱状部材２７０が配置されている。第２折り曲げ部２５０の下方に第２柱状部材２８０が配置されている。第１柱状部材２７０と第２柱状部材２８０とは互いに対向するように配置されている。
【００３６】
第１，第２柱状部材２７０，２８０は、互いに対向する対向面の上端に、第１，第２柱状部材２７０，２８０同士の距離が上方から下方に行くに従って短くなるようなテーパ部２７２，２８２をそれぞれ有している。
【００３７】
第２折り曲げ部２４０は、姿勢維持部２１０から離れる方向に付勢力が付与された第１連動部２４１を有している。具体的には、第１連動部２４１である板状部材に圧縮されたばね２４２が取付けられている。第１連動部２４１は、第１柱状部材２７０の上面２７１と平行に配置されている。
【００３８】
第２折り曲げ部２５０は、姿勢維持部２１０から離れる方向に付勢力が付与された第２連動部２５１を有している。具体的には、第２連動部２５１である板状部材に圧縮されたばね２５２が取付けられている。第２連動部２５１は、第２柱状部材２８０の上面２８１と平行に配置されている。
【００３９】
右側支持部２２１と左側支持部２２２との間において、姿勢維持部２１０の下方に第３連動部２９５が配置されている。第３連動部２９５は、ベース２９０に対して水平方向に移動可能に設置されている。また、第３連動部２９５は、側面から見て略直角三角形の外形を有している。
【００４０】
第３連動部２９５の略直角の角部近傍には、水平方向に突出した水平軸部２９３が設けられている。水平軸部２９３には、ベース２９０から垂直方向に突出した垂直軸部２９１に一端が取付けられたばね２９２の他端が取付けられている。
【００４１】
第３連動部２９５の上面は傾斜しており、第３連動部２９５の上面の最下端近傍に第３折り曲げ部２６０が取付けられている。言い換えると、第３連動部２９５においては、水平方向において姿勢維持部２１０から第３折り曲げ部２６０に近づくに従って上面の高さが低くなる傾斜部を有している。
【００４２】
第３折り曲げ部２６０は、姿勢維持部２１０の下方において姿勢維持部２１０の直下から水平方向において離れた位置に配置されて第３連動部２９５と接続されている。第３折り曲げ部２６０は、上方に延設されたアーム部２６１と、アーム部２６１の先端に設けられた円柱状の押圧部２６２を含む。押圧部２６２の軸方向は、略水平方向である。
【００４３】
図８は、本実施形態に係る包装箱を包装箱の組立装置に挿入した状態を示す正面図である。図９は、図８の状態を矢印ＩＸ方向から見た図である。
【００４４】
図８，９に示すように、姿勢維持部２１０の開口部に包装箱１００を挿入することにより、４つの側面部１１０，１２０，１３０，１４０の下方に第１底面片１５０、第２底面片１６０、第３底面片１７０および第４底面片１８０とが位置するように包装箱１００の姿勢が維持される。このとき、第１底面片１５０が第１折り曲げ部２３０により折れ線部１１１を境に折り曲げられる。言い換えると、姿勢維持部２１０が下方に移動する前に第１折り曲げ部２３０が第１底面片１５０を折り曲げている。
【００４５】
図１０は、第２折り曲げ部により第３底面片および第４底面片を折り曲げた状態を示す正面図である。図１１は、図１０の状態を矢印ＸＩ方向から見た図である。
【００４６】
図１０，１１に示すように、包装箱１００および姿勢維持部２１０を支持部２２０のばねの付勢力に反して下方に移動させることにより、第２折り曲げ部２５０が連動して第３底面片１７０および第４底面片１８０を折り曲げる。
【００４７】
具体的には、第２折り曲げ部２４０の第１連動部２４１においては、姿勢維持部２１０が下方に移動して、第１連動部２４１の一端が第１柱状部材２７０のテーパ部２７２に当接することにより、ばね２４２の付勢力に反して他端が第４底面片１８０を押圧して前記第３底面片１７０を折れ線部１３１を境に折り曲げる。なお、図１０においては、第１連動部２４１の一端が第１柱状部材２７０のテーパ部２７２を越えた側部に当接した状態を示している。
【００４８】
第２折り曲げ部２５０の第２連動部２５１においては、姿勢維持部２１０が下方に移動して、第２連動部２５１の一端が第２柱状部材２８０のテーパ部２８２に当接することにより、ばね２５２の付勢力に反して他端が第４底面片１８０を押圧して前記第４底面片１８０を折れ線部１４１を境に折り曲げる。なお、図１０においては、第２連動部２５１の一端が第２柱状部材２８０のテーパ部２８２を越えた側部に当接した状態を示している。
【００４９】
図１２は、第３折り曲げ部により第２底面片を折り曲げた状態を示す正面図である。図１３は、図１２の状態を矢印ＸＩＩＩ方向から見た図である。
【００５０】
図１２，１３に示すように、姿勢維持部２１０が下方に移動して当接部２９４が第３連動部２９５の上面と当接して第３連動部２９５を押圧することにより第３連動部２９５が移動して、第３折り曲げ部２６０が姿勢維持部２１０に近づく。第３折り曲げ部２６０が姿勢維持部２１０の下方に近づく際に、第３折り曲げ部２６０の押圧部２６２により第２底面片１６０が押圧されて折れ線部１２１を境に折り曲げられる。
【００５１】
図１４は、第３折り曲げ部により第１から第４底面片を押し上げた状態を示す正面図である。図１５は、図１４の状態を矢印ＸＶ方向から見た図である。
【００５２】
図１４，１５に示すように、姿勢維持部２１０が最も下方まで移動した際に第３折り曲げ部２６０が姿勢維持部２１０の直下に位置して、第３折り曲げ部２６０が第１底面片１５０、第２底面片１６０、第３底面片１７０および第４底面片１８０を４つの側面部１１０，１２０，１３０，１４０に囲まれる空間側に折り曲げて、第２底面片１６０の凸部１６３を第１底面片１５０の被係合部１５４より上方に位置させる。
【００５３】
図１６は、姿勢維持部が元の位置まで上昇した状態を示す正面図である。図１７は、図１６の状態を矢印ＸＶＩＩ方向から見た図である。
【００５４】
図１６，１７に示すように、姿勢維持部２１０の下方への押し下げを解除することにより、支持部２２０の付勢力によって姿勢維持部２１０および底面が組立てられた包装箱１００は元の位置に戻る。
【００５５】
上記のように、姿勢維持部２１０が所定の位置から下方に移動した後、上方に移動して元の位置に戻る１連の動作の間に、第１折り曲げ部２３０、第２折り曲げ部２４０，２５０および第３折り曲げ部２６０が順に動作することにより包装箱１００の底面が組立てられる。
【００５６】
本実施形態の包装箱１００の組立装置２００においては、姿勢維持部２１０を上下に１回移動させることにより、姿勢維持部２１０に挿入した包装箱１００の底面を容易に安定して組立てることができる。よって、作業効率を向上することができる。また、複雑な電気機器を用いることなく簡易な構成を有するため装置コストの削減を図ることができる。
【００５７】
包装箱１００の各底面片１５０，１６０，１７０，１８０の縁部１５１，１５２，１６１，１６２，１７１，１７２，１８１，１８２に切欠き部を設けているため、底面を組立てる際に各底面片１５０，１６０，１７０，１８０が干渉することなく容易に底面を組立てることができる。
【００５８】
図１８は、折れ線部に切込み部を設けた第１変形例の包装箱の展開図である。図１９は、折れ線部に打ち抜き部を設けた第２変形例の包装箱の展開図である。
【００５９】
図１８に示すように、第１変形例の包装箱３００においては、折れ線部１１１，１２１，１３１，１４１に所定の間隔を置いて切込み部３１１が設けられている。そのため、各底面片１５０，１６０，１７０，１８０を折り曲げる際の抵抗を低減することができ、容易に安定して包装箱３００の底面を組立てることができる。
【００６０】
図１９に示すように、第２変形例の包装箱４００においては、折れ線部１１１，１２１，１３１，１４１に所定の間隔を置いて打ち抜き部４１１が設けられている。そのため、各底面片１５０，１６０，１７０，１８０を折り曲げる際の抵抗を低減することができ、容易に安定して包装箱３００の底面を組立てることができる。
【００６１】
打ち抜き部４１１の数は、包装箱４００の形状および厚さなどにより適宜設定される。本実施形態においては、打ち抜き部４１１は円形であるが、打ち抜き部４１１の形状はこれに限られず矩形状などでもよい。
【００６２】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６３】
１００，３００，４００  包装箱、１１０，１２０，１３０，１４０  側面部、１１１，１２１，１３１，１４１  折れ線部、１５０  第１底面片、１５１，１５２，１６１，１６２，１７１，１７２，１８１，１８２  縁部、１５３  凹部、１５４  被係合部、１６０  第２底面片、１６３  凸部、１７０  第３底面片、１８０  第４底面片、２００  組立装置、２１０  姿勢維持部、２２０  支持部、２２１  右側支持部、２２２  左側支持部、２３０  第１折り曲げ部、２４０，２５０  第２折り曲げ部、２６０  第３折り曲げ部、２４１  第１連動部、２４２，２５２，２９２  ばね、２５１  第２連動部、２６１  アーム部、２６２  押圧部、２７０  第１柱状部材、２８０  第２柱状部材、２７１，２８１  上面、２７２，２８２  テーパ部、２９０  ベース、２９１  垂直軸部、２９３  水平軸部、２９４  当接部、２９５  第３連動部、３１１  切込み部、４１１  打ち抜き部。
【図１】
2012162271.tif 000003
【図２】
2012162271.tif 000004
【図３】
2012162271.tif 000005
【図４】
2012162271.tif 000006
【図５】
2012162271.tif 000007
【図６】
2012162271.tif 000008
【図７】
2012162271.tif 000009
【図８】
2012162271.tif 000010
【図９】
2012162271.tif 000011
【図１０】
2012162271.tif 000012
【図１１】
2012162271.tif 000013
【図１２】
2012162271.tif 000014
【図１３】
2012162271.tif 000015
【図１４】
2012162271.tif 000016
【図１５】
2012162271.tif 000017
【図１６】
2012162271.tif 000018
【図１７】
2012162271.tif 000019
【図１８】
2012162271.tif 000020
【図１９】
2012162271.tif 000021